(57)【要約】      （修正有）【課題】使用の際に便利であり手間も省け、また、指や加熱器具〈アロマポット〉を汚すことがなく、加熱後に発生する油が通気紙によって吸い取られるので、加熱板の表面が汚れることがなく、使用の度に加熱器具を掃除する必要がない挿入式香バッグ及び加熱器具の構造を提供する。【解決手段】挿入式香バッグ１及び加熱器具２の構造は、その挿入式香バッグが通気紙１１によって粉末香を包んでバッグ状にしてある。その加熱器具〈アロマポット〉には挿入口があり、使用時には挿入式香バッグを挿入口から挿入して加熱板２３の上に置くようになっている。挿入式香バッグが一定の温度まで加熱されると、燻煙が発生し、香りを放出する。【選択図】  図３
0003118110.tif 000002
【実用新案登録請求の範囲】
【請求項１】
挿入式香バッグが通気紙によって粉末香を包んでバッグ状にしてあり、加熱器具〈アロマポット〉は、外側の周囲に、内部の加熱板の面に対応する挿入口があって、挿入式香バッグを挿入する方式で加熱器具〈アロマポット〉内に挿入して使用するという特長を持つ、挿入式香バッグ及びその加熱器具の構造。
【請求項２】
挿入式香バッグに端に紙のつかみ部分があることで、挿入式香バッグをつかみやすくしてある、請求項１に記載の挿入式香バッグ及びその加熱器具の構造。
【請求項３】
加熱板の中が空洞のボックス状になっていて、側面には挿入式香バッグを挿入するための挿入口があり、頂上部分には香りを放出させるための通気穴がある、請求項１に記載の挿入式香バッグ及びその加熱器具の構造。
【請求項４】
加加熱器具〈アロマポット〉の加熱板の下方に、複数のセラミック抵抗器があって、それぞれの抵抗数が異なることでそれぞれが異なる温度を発生させることが可能であるという特長を持つ、請求項１に記載の挿入式香バッグ及びその加熱器具の構造。
【考案の詳細な説明】
【技術分野】
【０００１】
本考案は挿入式香バッグ及びその加熱器具の構造に関する。本考案の香は、通気紙によって包んであり、その加熱器具には挿入口があって、香バッグが挿入できるようになっている。したがって、使用の際に便利であり、加熱器具の清潔さが保てるという特長を持つ。
【背景技術】
【０００２】
従来、香をたく場合は、たいてい直接指で少量の、粉末香１０を加熱器具〈アロマポット〉２０の加熱板３０に置いて、粉末香を一定の温度に加熱して、香りを発生させた。これは、茶を飲みながらおしゃべりを楽しむ時に、上品で優雅な雰囲気を醸し出す効果がある。
【考案の開示】
【考案が解決しようとする課題】
【０００３】
しかしながら、粉末香を直接加熱板に置いて使用することは、加熱板の面が汚れる上に、香が加熱されて発生したオイル成分が加熱板の上に残り、使用のたびに加熱器具を掃除しなければならない。そして、直接指で粉末香をつまむという方式は、指に粉末香がついてまた指を拭かなければならないという面倒さもある上、紙の無駄使いにもなる。
【課題を解決するための手段】
【０００４】
本考案の挿入式香バッグ及び加熱器具の構造は、その挿入式香バッグが通気紙によって粉末香を包んでバッグ状にしてある。その加熱器具〈アロマポット〉には挿入口があり、使用時には挿入式香バッグを挿入口から挿入して加熱板の上に置くようになっている。挿入式香バッグが一定の温度まで加熱されると、燻煙が発生し、香りを放出する。したがって、使用の際に便利であり、手間も省ける。また、指や加熱器具〈アロマポット〉を汚すことがなく、加熱後に発生する油が通気紙によって吸い取られるので、加熱板の表面が汚れることがない。したがって、使用の度に加熱器具〈アロマポット〉を掃除する必要がない。
【考案の効果】
【０００５】
本考案の挿入式香バッグおよびその加熱器具の構造は、その挿入式の香バッグが通気紙によって粉末香を包んでバッグ状にしてある。そして、その加熱器具（アロマポット）には挿入口があって、使用時には挿入式の香バッグを加熱器具〈アロマポット〉の挿入口から挿入して加熱板の上に置く。挿入式香バッグが一定の温度まで加熱されると、燻煙が発生して香りが漂う。したがって、使用の際に便利で手間が省け、手や加熱器具〈アロマポット〉を汚すことがないという効果がある。さらに、加熱後に発生するオイルの汚れもまた包装してある通気紙が吸い取って加熱板の表面に残って汚すこともないため、使用の度に加熱器具〈アロマポット〉を掃除する面倒さがないという効果がある。
【考案を実施するための最良の形態】
【０００６】
図２、図３、図４を参照いただきたい。本考案の挿入式香バッグおよびその加熱器具の構造は以下の通りである。挿入式香バッグ１は通気紙１１によって粉末香１２を包んでバッグ状にしてある。そして、加熱器具〈アロマポット〉２は、外側の周囲に挿入口２１があって、その加熱装置２２の上にある加熱板２３に対応する。その外側上部には通気穴２４がある。
前述の挿入式香バッグ１は、実施例では紙のつかみ部分１３が挿入式香バッグ１の一端に接着してあり、挿入式香バッグ１がつかみやすいようになっている。
【０００７】
前述の加熱器具〈アロマポット〉２の加熱板２３は、実施例では、中が空洞のボックス部分２５の形状をしていて、その一側面に収納空間２６があって、頂上部には通気穴２７がある。
【０００８】
本考案の使用時には、挿入式香バッグ１を加熱器具〈アロマポット〉２の加熱装置２２から挿入して、収納空間２６を経て加熱板２３の上に置くようになっている。挿入式香バッグ１が一定の温度まで加熱されると、燻煙が発生してボックス状の加熱板の頂上にある通気穴２７及び外側ケース２１の頂上にある通気穴２４から香りを放出する。前述の本考案の使用時には、直接本考案の挿入式香バッグ１を一般の加熱器具〈アロマポット〉２０の加熱板３０の上に置いて使用する（図１を参照いただきたい）ことも可能である。
【０００９】
図２、図３及び図４を参照いただきたい。本考案の加熱器具〈アロマポット〉２は交流（ＡＣ）、直流（ＤＣ）の二種類の電源方式があり、その加熱装置２２は加熱板２３下方にある複数のセラミック抵抗器２８（実施例図には４本示してある）があり、それぞれの抵抗数が異なっていて、異なる温度を発生させるようになっている。このため、使用時には、外部の切換スイッチ３１を操作して、そのうちの１本のセラミック抵抗器２８を使用することで、加熱板２３に設定温度を発生させる。したがって、挿入式香バッグ１の材料によって必要な温度が選択できる。また、加熱温度をコントロールして香りの濃淡を好みで選択することも可能である。
【００１０】
また、図３に示すように、本考案の加熱器具〈アロマポット〉２内には、フレキシブルな弾力性のあるリード線３２に小型ランプ３３が接続してあり、内部で発光させることが可能で、通気穴２４から外に光が漏れるようになっている。
【００１１】
このように、本考案の挿入式香バッグ及びその加熱器具の構造は、通気紙によって粉末香を包装して挿入式香バッグとし、加熱器具〈アロマポット〉には挿入口があって、挿入式香バッグをその挿入口から挿入する方式で加熱器具〈アロマポット〉の中に入れて使用するようになっている。したがって、使用の際の手間が省ける上に、指で粉末香をつまむことがないため、粉末香が指について無駄になることがない。さらに、香が加熱されることで発生する油による汚れが通気紙に吸い取られるので、加熱板が清潔に保て、環境保護にも役立つという効果がある。
【図面の簡単な説明】
【００１２】
【図１】従来の加熱器具（アロマポット）構造及び粉末香を使用しない状態の見取り図である。
【図２】本考案の挿入式香バッグ及びその加熱器具（アロマポット）の挿入口を示した図である。
【図３】本考案の香バッグ及びその加熱器具（アロマポット）を使用した状態を示した断面図である。
【図４】本考案の加熱器具（アロマポット）の一部分の立体断面図である。
【符号の説明】
【００１３】
１０        粉末香
２０        加熱器具〈アロマポット〉
３０        加熱板
２          加熱器具〈アロマポット〉
１          挿入式香バッグ
１２        粉末香
１１        通気紙
２２        加熱装置
１３        つかみ部分
２４        通気穴
２１        挿入口
２６        収納空間
２３        加熱板
３１        切換スイッチ
２５        中が空洞のボックス部分
３２        リード線
２７        通気穴
３３        小型ランプ
２８        セラミック抵抗器
【図１】
0003118110.tif 000003
【図２】
0003118110.tif 000004
【図３】
0003118110.tif 000005
【図４】
0003118110.tif 000006
【手続補正書】
【提出日】平成17年11月1日(2005.11.1)
【手続補正１】
【補正対象書類名】実用新案登録請求の範囲
【補正対象項目名】全文
【補正方法】変更
【補正の内容】
【実用新案登録請求の範囲】
【請求項１】
通気紙によって粉末香を包んでバッグ状にした挿入式香バッグを挿入するための挿入口を外側周囲に有し、該挿入口の内側に加熱板を設け、発生する香りを放出するための通気孔を設けたことを特長とする、挿入式香バッグの加熱器具。
【請求項２】
挿入式香バッグの端に紙のつかみ部分があることを特長とする、請求項１に記載の挿入式香バッグの加熱器具。
【請求項３】
加熱板の中が空洞のボックス状になっていて、前面には挿入式香バッグを挿入するための挿入口を有し、頂上部分には香りを放出させるための通気穴があることを特長とする、請求項１に記載の挿入式香バッグの加熱器具。
【請求項４】
加熱板の下方に複数のセラミック抵抗器があって、それぞれの抵抗数が異なることでそれぞれが異なる温度を発生させることが可能であることを特長とする、請求項１に記載の挿入式香バッグの加熱器具。
【手続補正３】
【補正対象書類名】明細書
【補正対象項目名】０００１
【補正方法】変更
【補正の内容】
【０００１】
本考案は、挿入式香バッグの加熱器具に関する。本考案の香は、通気紙によって包んであり、その加熱器具には挿入口があって、香バッグが挿入できるようになっている。したがって、使用の際に便利であり、加熱器具の清潔さが保てるという特長を持つ。
【手続補正４】
【補正対象書類名】明細書
【補正対象項目名】０００４
【補正方法】変更
【補正の内容】
【０００４】
本考案の挿入式香バッグの加熱器具は、その挿入式香バッグが通気紙によって粉末香を包んでバッグ状にしてある。その加熱器具〈アロマポット〉には挿入口があり、使用時には挿入式香バッグを挿入口から挿入して加熱板の上に置くようになっている。挿入式香バッグが一定の温度まで加熱されると、燻煙が発生し、香りを放出する。したがって、使用の際に便利であり、手間も省ける。また、指や加熱器具〈アロマポット〉を汚すことがなく、加熱後に発生する油が通気紙によって吸い取られるので、加熱板の表面が汚れることがない。したがって、使用の度に加熱器具〈アロマポット〉を掃除する必要がない。
【手続補正５】
【補正対象書類名】明細書
【補正対象項目名】０００５
【補正方法】変更
【補正の内容】
【０００５】
本考案の挿入式香バッグの加熱器具は、その挿入式の香バッグが通気紙によって粉末香を包んでバッグ状にしてある。そして、その加熱器具（アロマポット）には挿入口があって、使用時には挿入式の香バッグを加熱器具〈アロマポット〉の挿入口から挿入して加熱板の上に置く。挿入式香バッグが一定の温度まで加熱されると、燻煙が発生して香りが漂う。したがって、使用の際に便利で手間が省け、手や加熱器具〈アロマポット〉を汚すことがないという効果がある。さらに、加熱後に発生するオイルの汚れもまた包装してある通気紙が吸い取って加熱板の表面に残って汚すこともないため、使用の度に加熱器具〈アロマポット〉を掃除する面倒さがないという効果がある。
【手続補正６】
【補正対象書類名】明細書
【補正対象項目名】０００６
【補正方法】変更
【補正の内容】
【０００６】
図２、図３、図４を参照いただきたい。本考案の挿入式香バッグの加熱器具は以下の通りである。挿入式香バッグ１は通気紙１１によって粉末香１２を包んでバッグ状にしてある。そして、加熱器具〈アロマポット〉２は、外側の周囲に挿入口２１があって、その加熱装置２２の上にある加熱板２３に対応する。その外側上部には通気穴２４がある。
前述の挿入式香バッグ１は、実施例では紙のつかみ部分１３が挿入式香バッグ１の一端に接着してあり、挿入式香バッグ１がつかみやすいようになっている。
【手続補正７】
【補正対象書類名】明細書
【補正対象項目名】００１１
【補正方法】変更
【補正の内容】
【００１１】
このように、本考案の挿入式香バッグの加熱器具は、通気紙によって粉末香を包装して挿入式香バッグとし、加熱器具〈アロマポット〉には挿入口があって、挿入式香バッグをその挿入口から挿入する方式で加熱器具〈アロマポット〉の中に入れて使用するようになっている。したがって、使用の際の手間が省ける上に、指で粉末香をつまむことがないため、粉末香が指について無駄になることがない。さらに、香が加熱されることで発生する油による汚れが通気紙に吸い取られるので、加熱板が清潔に保て、環境保護にも役立つという効果がある。
【手続補正８】
【補正対象書類名】明細書
【補正対象項目名】００１２
【補正方法】変更
【補正の内容】
【００１２】
【図１】従来の加熱器具（アロマポット）構造及び粉末香を使用しない状態の見取り図である。
【図２】本考案の挿入式香バッグの加熱器具（アロマポット）の挿入口を示した図である。
【図３】本考案の挿入式香バッグの加熱器具（アロマポット）を使用した状態を示した断面図である。
【図４】本考案の加熱器具（アロマポット）の一部分の立体断面図である。